(57)【要約】【課題】家畜舎の糞尿を洗浄水で洗い流した際に生じる糞尿を含む処理液中の上澄み液の蒸発効率を高め、しかもアンモニアやタンパク質を含まない凝縮水として取り出すことのできる家畜舎の糞尿処理装置を提供する。【解決手段】糞尿及び洗浄水の上澄み液を減圧蒸発装置８，１０，１２で処理して凝縮水を生成する糞尿処理装置において、減圧蒸発装置８，１０，１２の内部の上部側に噴霧ノズル８ａ，１０ａ，１２ａを設け、上澄み液の減圧蒸発時に上澄み液の表面から発生する泡を噴霧ノズルから噴霧する上澄み液で打ち消すとともに噴霧する上澄み液の蒸発気化を利用する。【選択図】        図１
2020062578.tif 000002
【特許請求の範囲】
【請求項１】
糞尿及び洗浄水の上澄み液を減圧蒸発装置で処理して凝縮水を生成する糞尿処理装置において、減圧蒸発装置の内部の上部側に噴霧ノズルを設け、上澄み液の減圧蒸発時に上澄み液の表面から発生する泡を噴霧ノズルから噴霧する上澄み液で打ち消すとともに噴霧する上澄み液の蒸発気化を利用することを特徴とする家畜舎の糞尿処理装置。
【請求項２】
糞尿及び洗浄水を静置して上澄み液と沈殿物とに分離する沈降槽と、上澄み液を加熱する熱交換器と、上澄み液が減圧蒸発する減圧蒸発装置と、減圧蒸発装置の内部の上部側に設けられ減圧蒸発時に上澄み液の表面から発生する泡を打ち消す上澄み液を噴霧する噴霧ノズルと、減圧蒸発装置の内部を減圧状態に保つ真空ポンプと、上澄み液の蒸発した蒸気を冷却して凝縮水に戻すコンデンサーと、凝縮水を溜める凝縮水タンクとを少なくとも備えたことを特徴とする家畜舎の糞尿処理装置。
【請求項３】
減圧蒸発装置は複数設けられている請求項１又は請求項２に記載の家畜舎の糞尿処理装置。
【発明の詳細な説明】
【技術分野】
【０００１】
この発明は、家畜の糞尿を洗浄水で洗い流した際に生じる糞尿を含む処理液の処理装置に係り、特に、家畜の糞尿を洗浄水で洗い流した際に生じる糞尿を含む処理液を蒸発させて冷却し凝縮水として取り出し家畜舎の糞尿の洗浄水として再利用でき、また処理液に含まれる糞尿は濃縮して個体の堆肥として取り出して利用できるようにした家畜舎の糞尿処理装置に関するものである。
【背景技術】
【０００２】
従来、家畜舎の糞尿を洗浄水で洗い流した際に生じる糞尿を含む処理液中から水分を蒸発させて冷却し凝縮水として取り出して家畜舎の糞尿の洗浄水として再利用する技術が知られている。
家畜の糞尿を洗浄水で洗い流した際に生じる糞尿を含む処理液は、いったん処理水貯槽で貯められた後、沈降槽におくられ、沈降槽で沈殿物と上澄み原水とに分離され、沈殿物はその後濃縮されて、個体の堆肥として取り出される。上澄み原水は減圧蒸発タンクにおくられ、上澄み原水を蒸発させて冷却し凝縮水として取り出し、家畜舎の糞尿の洗浄水として再利用している。
【先行技術文献】
【特許文献】
【０００３】
【特許文献１】特開２００９−１８２１１
【発明の概要】
【発明が解決しようとする課題】
【０００４】
しかしながら、図３に示すように、上澄み液を減圧蒸発タンクで蒸発させる場合、上澄み液中にはアンモニアやタンパク質などの成分が含まれているので、減圧蒸発させるために上澄み液を加熱するとタンク内部には多量の泡が発生する。そして、この発生した多量の泡にはアンモニアやタンパク質が気化したものが含まれている。また発生した多量の泡はタンク内に充満して、上澄み液の蒸発を妨げて蒸発効率の低下を招く一方で、タンク内部の頂部まで溢れる出る泡の一部は蒸発水に混じりこみ、蒸発水を冷却すると、冷却水にはアンモニアやタンパク質が含まれ、糞尿を含む処理液中からアンモニアやタンパク質を含まない凝縮水として取り出すことは困難であった。
【０００５】
この発明は、上記のような課題に鑑み、その課題を解決すべく創案されたものであって、その目的とするところは、家畜舎の糞尿を洗浄水で洗い流した際に生じる糞尿を含む処理液中の上澄み液の蒸発効率を高め、しかもアンモニアやタンパク質を含まない凝縮水として取り出すことのできる家畜舎の糞尿処理装置を提供することにある。
【課題を解決するための手段】
【０００６】
以上の課題を達成するために、請求項１の発明は、糞尿及び洗浄水の上澄み液を減圧蒸発装置で処理して凝縮水を生成する糞尿処理装置において、減圧蒸発装置の内部の上部側に噴霧ノズルを設け、上澄み液の減圧蒸発時に上澄み液の表面から発生する泡を噴霧ノズルから噴霧する上澄み液で打ち消すとともに噴霧する上澄み液の蒸発気化を利用する手段よりなるものである。
【０００７】
また、請求項２の発明は、糞尿及び洗浄水を静置して上澄み液と沈殿物とに分離する沈降槽と、上澄み液を加熱する熱交換器と、上澄み液が減圧蒸発する減圧蒸発装置と、減圧蒸発装置の内部の上部側に設けられ減圧蒸発時に上澄み液の表面から発生する泡を打ち消す上澄み液を噴霧する噴霧ノズルと、減圧蒸発装置の内部を減圧状態に保つ真空ポンプと、上澄み液の蒸発した蒸気を冷却して凝縮水に戻すコンデンサーと、凝縮水を溜める凝縮水タンクとを少なくとも備えた手段よりなるものである。
【発明の効果】
【０００８】
課題を解決するための手段よりなるこの発明に係る家畜舎の糞尿処理装置によれば、家畜舎の洗浄汚水及び糞尿の活性汚泥法による処理装置の能力を補填する発明で、糞尿及び洗浄水の上澄み液を減圧環境下で比較的低い温度で蒸発させ、蒸発した水蒸気は、自らの上澄み液で冷却して凝縮させる。この凝縮水は、上澄み液との熱交差により、熱をこの減圧蒸発装置に残して、洗浄水に再利用するか、もしくは活性汚泥法による処理装置に戻す。蒸発量を最大にするために本装置では、蒸発缶内で噴霧(微細粒子化)して、装置を小型化しているのが特徴である。更に噴霧することにより沸騰して発泡し水蒸気以外の液を抱き込む現象(キャリオーバー)を抑制できることも特徴である。
この装置を活性汚泥法による装置の前処理として或いは後処理として、使用することで従来の処理を安定化できる特徴がある。
すなわち、この発明に係る家畜舎の糞尿処理装置によれば、減圧蒸発タンク内で上澄み原水を加熱中に発生するアンモニアやタンパク質を含んだ泡を、タンク内の上部に設けた噴霧ノズルから上澄み液を下方の発生する泡に向かって噴霧することで、発生する泡を打ち消して、タンク内が発生する泡で充満するのを防ぐことができる。これにより、アンモニアやタンパク質を含んだ泡が充満したタンク頂部から蒸発水に混じってタンクの外部に排出されるのを阻止することができ、タンク外部に排出後の蒸発水を冷却した際に、冷却水にアンモニアやタンパク質が混じるのを回避することができ、アンモニアやタンパク質を含まない洗浄水として再生することができる。
しかも、減圧蒸発タンク内で発生する泡を打ち消すことにより、タンク下部側に溜まっている上澄み液がその表面から蒸発するのを泡が妨げることを阻止することができ、タンク内での上澄み液の蒸発効率が低下するのを防ぐことができる。
さらに、噴霧ノズルから上澄み液をタンク内に噴霧する際に、蒸発気化するので、上澄み原水の蒸発効率を高めることができる。
上記の効果に加えて、循環ポンプは電気動力容量が大きくなるため、水蒸気がコンデンスする適量を凝縮水温度と水蒸気の温度差をみて、ポンプ回転数をコントロールすることで、消費電力の削減ができる。このことが本減圧蒸発装置の安定運転になる。
減圧蒸発装置で処理された上澄み液は、蒸発から凝縮工程を経て、凝縮水に含まれる、有機物及び無機塩類等の物質は極めて少なくなる。凝縮水を活性汚泥法による処理装置に戻す場合は負荷低減に十分な効果を発揮する。また最終放流水をこの減圧蒸発装置で処理した場合は、そのまま放流が可能になり、洗浄水として再使用すれば、洗浄水の節約になる。
蒸発の後に残る濃縮された原水には、そのまま有機物物質が多く含まれるので、高濃度のまま沈殿炉漉と混ぜて、堆肥化工程で堆肥化が可能である等、極めて新規的有益なる効果を奏するものである。
【図面の簡単な説明】
【０００９】
【図１】この発明を実施するための形態を示す家畜舎の糞尿処理装置の概略構成図である。
【図２】この発明を実施するための形態を示す減圧蒸発装置の概略内部図である。
【図３】従来説明図である。
【発明を実施するための形態】
【００１０】
以下、図面に記載の発明を実施するための形態に基づいて、この発明をより具体的に説明する。
【００１１】
図において、原水タンクＡは、家畜糞尿及び洗浄汚水(以後「原水」と記載)を溜めるタンクである。沈降槽２は原水を静置している間に上澄み原水（つまり上澄み液）と沈殿物に分離するものである。この沈降槽２と原水タンクＡは原水通路１で接続されている。沈降槽２に沈殿した沈殿物は残渣槽１５に排出される。このため、沈降槽２と残渣槽１５との間には沈殿物排出通路ｂが配設され、沈殿物排出通路ｂの途中には引き抜きポンプＰ９が設けられている。
【００１２】
沈降槽２には分離された上澄み原水を本体の蒸発装置に向けて送るための上澄み原水通路３が配設されている。上澄み原水通路３には、上澄み原水に含まれる微細な異物を除去する異物除去フィルター３ａ及び上澄み原水供給ポンプＰ１が設けられている。上澄み原水通路３は熱交換器４に接続されている。熱交換器４は凝縮水の熱を利用して上澄み原水を加熱する機能を果たす。
【００１３】
この熱交換器４には上澄み原水通路５の一端側が接続され、その他端側は熱交換器６に接続されている。熱交換器６は、外部供給の蒸気で、上澄み原水を蒸発に必要な温度まで加熱する働きを有する。熱交換器６には、熱交換器４に一端側が接続された上記上澄み原水通路５の他端側が接続されている。熱交換器６と第一蒸発缶８との間には、上澄み原水通路５に連通し、必要な温度まで加熱された上澄み原水を第一蒸発缶８に送り込むための第一缶上澄み原水供給通路７が配設されている。
【００１４】
減圧蒸発装置としての第一蒸発缶８は、減圧蒸発を利用して上澄み原水（つまり上澄み液）を蒸発させるものである。この実施の形態では、たとえば、減圧蒸発装置として、第一蒸発缶８、第二蒸発缶１０及び第三蒸発缶１２の３基の蒸発缶を備えているが、必要に応じて増減できるのは勿論である。各蒸発缶８，１０，１２は同じ構造になっている。
【００１５】
各蒸発缶８，１０，１２の内部の上部側には、噴霧ノズル８ａ，１０ａ，１２ａがそれぞれ設けられている。各噴霧ノズル８ａ，１０ａ，１２ａは、蒸発缶８，１０，１２の内部で、加熱された上澄み原水（つまり上澄み液）の表面から発生する泡を打ち消すために設けられたものである。上澄み原水にはアンモニアやタンパク質の成分が含まれるため、加熱すると泡が発生する不都合がある。しかも泡は蒸発缶８，１０，１２の内部に充満し、上澄み原水（つまり上澄み液）の表面からの蒸発を妨げ、また、泡の一部が蒸気に混じって蒸発缶８，１０，１２の頂部から外部に排出される問題も生じているが、各噴霧ノズル８ａ，１０ａ，１２ａから上澄み原水（つまり上澄み液）を噴霧することで、泡を打ち消して、これらの不都合を解決している。
【００１６】
熱交換器１７は外部供給の蒸気で、第一蒸発缶８の内部に設けられた噴霧ノズル８ａに供給される上澄み原水を蒸発に必要な温度まで加熱する機能を果たす。
【００１７】
第一蒸発缶８の底部側には途中で分岐する第二缶上澄み原水供給通路９と第一缶上澄み原水循環通路１６が接続されている。第二缶上澄み原水供給通路９の他端側は第二蒸発缶１０に接続されている。第一缶上澄み原水循環通路１６の他端側は熱交換器１７に接続され、熱交換器１７を通じて噴霧ノズル８ａに上澄み原水を循環供給している。第一缶上澄み原水循環通路１６の途中には第一缶循環ポンプＰ２が設けられている。
【００１８】
第一蒸発缶８の頂部側には第一缶蒸気排出通路１８の一端側が接続されている。第一缶蒸気排出通路１８の他端側は、第一缶コンデンサー１９が接続されている。第一缶コンデンサー１９は、第一蒸発缶８で発生した蒸気を冷却して凝縮水に戻す一方で、第二蒸発缶１０に供給される上澄み原水を加熱する機能を果たす。
【００１９】
第一缶コンデンサー１９には第一缶凝縮水通路２９と第一缶排気通路３２の一端側が分岐して接続されている。第一缶凝縮水通路２９の他端側は凝縮水ドレンポンプＰ６を介して凝縮水タンク３５に接続され、第一缶排気通路３２の他端側は蒸発缶真空ポンプＰ８を介して大気に連通している。同コンデンサー１９で冷却した際に生じる凝縮水は第一缶凝縮水通路２９を通じて排出され、気体は第一缶排気通路３２を通じて大気中に吸引排気される。
【００２０】
凝縮水タンク３５に溜まった凝縮水は凝縮水ドレンポンプＰ７で洗浄水タンク３６におくられる。凝縮水タンク３５と洗浄水タンク３６の間には凝縮水排出通路ｃが配設され、この凝縮水排出通路ｃの途中には凝縮水ドレンポンプＰ７と熱交換器４が設けられている。熱交換器４では凝縮水排出通路ｃを通って排出される温められた凝縮水から熱を回収して第一蒸発缶８に供給される原水を温めている。
【００２１】
第二蒸発缶１０の底部側には途中で分岐する第三缶上澄み原水供給通路１１と第二缶上澄み原水循環通路２０が接続されている。第三缶上澄み原水供給通路１１の他端側は第三蒸発缶１２に接続されている。第二缶上澄み原水循環通路２０の他端側は第一缶コンデンサー１９に接続され、第一缶コンデンサー１９を通じて噴霧ノズル１０ａに上澄み原水を循環供給している。第二缶上澄み原水循環通路２０の途中には第二缶循環ポンプＰ３が設けられている。
【００２２】
第二蒸発缶１０の頂部側には第二缶蒸気排出通路２１の一端側が接続されている。第二缶蒸気排出通路２１の他端側は、第二缶コンデンサー２２が接続されている。第二缶コンデンサー２２は、第二蒸発缶１０で発生した蒸気を冷却して凝縮水に戻す一方で、第三蒸発缶１２に供給される上澄み原水を加熱する機能を果たす。
【００２３】
第二缶コンデンサー２２には第二缶凝縮水通路３０と第二缶排気通路３３の一端側が分岐して接続されている。第二缶凝縮水通路３０の他端側は凝縮水ドレンポンプＰ６を介して凝縮水タンク３５に接続され、第二缶排気通路３３の他端側は蒸発缶真空ポンプＰ８を介して大気に連通している。同コンデンサー２２で冷却した際に生じる凝縮水は第二缶凝縮水通路３０を通じて排出され、気体は第二缶排気通路３３を通じて大気中に吸引排気される。
【００２４】
第三蒸発缶１２の底部側には途中で分岐する濃縮原水排出通路１３と第三缶上澄み原水循環通路２３が接続されている。濃縮原水排出通路１３の他端側は濃縮原水排出通路１４に接続されている。濃縮原水排出通路１４は残渣槽１５に接続されている。濃縮原水排出通路１３の途中には濃縮原水引き抜きポンプＰ５と濃度計３７が設けられている。濃度計３７には例えば屈折計が使用される。第三缶上澄み原水循環通路２３の他端側は第二缶コンデンサー２２に接続され、第二缶コンデンサー２２を通じて噴霧ノズル１２ａに上澄み原水を循環供給している。第三缶上澄み原水循環通路２３の途中には第三缶循環ポンプＰ４が設けられている。
【００２５】
第三蒸発缶１２の頂部側には第三缶蒸気排出通路２４の一端側が接続されている。第三缶蒸気排出通路２４の他端側は、第三缶コンデンサー２５が接続されている。第三缶コンデンサー２５は、第三蒸発缶１２で発生した蒸気を冷却して凝縮水に戻す機能を果たす。第三缶コンデンサー２５には蒸気を冷却するために、冷却塔設備３８との間に冷却水循環通路２６，２７が配設されている。冷却水循環通路２６の途中には冷却水循環ポンプＰ１０が設けられている。
【００２６】
第三缶コンデンサー２５には第三缶凝縮水通路３１と第三缶排気通路３４の一端側が分岐して接続されている。第三缶凝縮水通路３１の他端側は凝縮水ドレンポンプＰ６を介して凝縮水タンク３５に接続され、第三缶排気通路３４の他端側は蒸発缶真空ポンプＰ８を介して大気に連通している。同コンデンサー２２で冷却した際に生じる凝縮水は第二缶凝縮水通路３０を通じて排出され、気体は第三缶排気通路３４を通じて大気中に吸引排気される。
【００２７】
次に、上記発明を実施するための形態の構成に基づく作用について以下説明する。
原水タンクＡに貯められた家畜糞尿及び洗浄汚水(以後「原水」と記載)はポンプで原水通路１を通って沈降槽２に送られる。原水通路１の途中に設けられた異物除去フィルター３ａで原水の異物は除去される。沈降槽２で静置後上澄み原水を上澄み原水供給ポンプＰ１で蒸発装置の熱交換器４に送られる。沈殿した沈殿物は引き抜きポンプＰ９で残渣槽１５に送られる。熱交換器４には、家畜舎の糞尿処理装置としての減圧蒸発装置で処理された凝縮水が通り、上澄み原水は加熱され上澄み原水通路５を通って次の熱交換器６で蒸発に必要な温度まで外部供給の蒸気で加熱される。熱交換盟６で加熱された上澄み原水は第一缶上澄み原水供給通路７を通って第一蒸発缶８に入る。
【００２８】
減圧蒸発装置としての第一蒸発缶８、第二蒸発缶１０、第三蒸発缶１２は蒸発缶真空ポンプＰ８によって減圧環境にある。したがって第一蒸発缶８に入った上澄み原水（つまり上澄み液）は蒸発する。例えば、第一蒸発缶８の蒸発温度は８０度、第二蒸発缶１０の蒸発温度は７０度、第三蒸発缶１２の蒸発温度は６０度である。蒸発効率を上げるために、第一蒸発缶８の上澄み原液（つまり上澄み液）を第一缶循環ポンプＰ２で熱交換器１７に送り、外部供給の蒸気加熱で蒸発に必要な十分な温度に加熱され、缶内に設置された、噴霧ノズル８ａにより微粒子噴霧され、蒸発を促進される。
【００２９】
すなわち、従来の蒸発缶の内部では、加熱により、アンモニアやタンパク質の成分を含む上澄み原水（つまり上澄み液）から多量の泡が発生して充満し、充満した泡で蒸発缶の下部側に溜まっている上澄み原水（つまり上澄み液）の表面からの蒸発が妨げられていた。しかし、本発明では第一蒸発缶８の噴霧ノズル８ａから下向きに上澄み原水（つまり上澄み液）が微粒子噴霧されて、内部で発生する泡を打ち消すので、蒸発が妨げられることがなく、蒸発が促進される。また、泡の発生が防がれるので、アンモニアやタンパク質の成分を含む泡の一部が蒸気に混じって第一蒸発缶８の蒸気通路１８を通って外部に排出されることもない。この部分については、噴霧ノズル１０ａ，１２ａによる循環方法は第二蒸発缶１０、第三蒸発缶１２でも同様構造である。
【００３０】
第一蒸発缶８で蒸発した蒸気は第一缶蒸気排出通路１８を通って、第一缶コンデンサー１９に流れる。第一缶コンデンサー１９には冷却水として、第二蒸発缶１０の上澄み原水が第二缶循環ポンプＰ３により第二缶上澄み原水循環通路２０を通って第一缶コンデンサー１９に送られる。第一缶コンデンサー１９内で第一蒸発缶８で蒸発した蒸気から第二蒸発缶１０の上澄み原水へ熱移動があり、熱を失った第一蒸発缶８の蒸気は凝縮し凝縮水となる。凝縮水は第一缶コンデンサー１９出口から第一缶凝縮水通路２９を通って凝縮水ドレンポンプＰ６に流れる。
【００３１】
第二蒸発缶１０の上澄み原水は第一缶コンデンサー１９で加熱され第二蒸発缶１０に入る。蒸発に必要な熱を吸収した上澄み原水は、第二蒸発缶１０内で蒸発する。第二蒸発缶１０で蒸発した水蒸気は、第二缶コンデンサー２２で同様に、第二蒸発缶１０の上澄み原水で循環冷却され、凝縮水となり、第二缶凝縮水通路３０を通って凝縮水ドレンポンプＰ６に流れる。第二缶コンデンサー２２で加熱された上澄み原水は第三蒸発缶１２で蒸発する。第三蒸発缶１２で蒸発した水蒸気は、第三缶コンデンサー２５で冷却塔設備３８の冷却水循環ポンプＰ１０で循環する冷却水で冷却され凝縮水となる。
【００３２】
コンデンサー１９、２２、２５から凝縮水通路２９，３０，３１を通って流れ込んだ凝縮水は凝縮水ドレンポンプＰ６で真空環境系から常圧系に排出され、凝縮水タンク３５に溜まる。凝縮水タンク３５に溜まった凝縮水は凝縮水ドレンポンプＰ７で洗浄水タンク３６におくられる。
【００３３】
第一蒸発缶８から第二蒸発缶１０へ、第二蒸発缶１０から第三蒸発缶１２と上澄み原水が落差で流れるように接地高さを下げて設置している。
【００３４】
第三蒸発缶１２の上澄み原水は次第に濃縮され、適正な濃度まで濃縮されたら、濃度計３７にて判断され、濃縮原水排出通路１３，１４を通って残渣槽１５に貯められる。濃度が未達成の場合は第三蒸発缶１２に戻される。濃度計３７（濃度計として屈析計を使用）による判断が可能なので、濃度計３７を使えば、自動化は可能である。
【００３５】
なお、この発明は上記発明を実施するための形態に限定されるものではなく、この発明の精神を逸脱しない範囲で種々の改変をなし得ることは勿論である。
【符号の説明】
【００３６】
Ａ    原水タンク
ｂ    沈殿物排出通路
ｃ    凝縮水排出通路
１    原水通路
２    沈降槽
３    上澄み原水通路
３ａ  異物除去フィルター
４    熱交換器
５    上澄み原水通路
6    熱交換器
７    第一缶上澄み原水供給通路
８    第一蒸発缶
８ａ  噴霧ノズル
９    第二缶上澄み原水供給通路
１０    第二蒸発缶
１０ａ  噴霧ノズル
１１    第三缶上澄み原水供給通路
１２    第三蒸発缶
１２ａ  噴霧ノズル
１３    濃縮原水排出通路
１４    濃縮原水排出通路
１５    残渣槽
１６    第一缶上澄み原水循環通路
１７    熱交換器
１８    第一缶蒸気排出通路
１９    第一缶コンデンサー
２０    第二缶上澄み原水循環通路
２１    第二缶蒸気排出通路
２２    第二缶コンデンサー
２３    第三缶上澄み原水循環通路
２４    第三缶蒸気排出通路
２５    第三缶コンデンサー
２６    冷却水循環通路
２７    冷却水循環通路
２８    蒸気排水通路
２９    第一缶凝縮水通路
３０    第二缶凝縮水通路
３１    第三缶凝縮水通路
３２    第一缶排気通路
３３    第二缶排気通路
３４    第三缶排気通路
３５    凝縮水タンク
３６    洗浄水タンク
３７    濃度計
３８    冷却塔設備
Ｐ１    上澄み原水供給ポンプ
Ｐ２    第一缶循環ポンプ
Ｐ３    第二缶循環ポンプ
Ｐ４    第三缶循環ポンプ
Ｐ５    濃縮原水引き抜きポンプ
Ｐ６    凝縮水ドレンポンプ
Ｐ７    凝縮水ドレンポンプ
Ｐ８    蒸発缶真空ポンプ
Ｐ９    引き抜きポンプ
Ｐ１０    冷却水循環ポンプ
【図１】
2020062578.tif 000003
【図２】
2020062578.tif 000004
【図３】
2020062578.tif 000005